(57)【要約】【課題】  本発明では、ビニールハウスの開口部を長期間閉じた状態あるいは開いた状態にしていたとしてもリミットスイッチが固着しないフィルム開閉装置の提供を目的とする。【解決手段】  前記課題を解決するための手段は、ビニールハウスＨに設けられた開口部Ｏを開閉可能なフィルム２を開閉方向へ移動する駆動源Ｍと、リミットスイッチ７，８と、フィルム２が停止位置に移動するとリミットスイッチ７，８を押圧する押圧部９，１０とを備え、リミットスイッチ７，８が押圧されると前記駆動源を停止し、駆動源Ｍが停止された後に駆動源Ｍでフィルム２を反対方向へ移動させてリミットスイッチ７，８から押圧部９，１０を離間させることを特徴とする。【選択図】  図２
2020000203.tif 000002
【特許請求の範囲】
【請求項１】
ビニールハウスに設けられた開口部を開閉可能なフィルムを開閉方向へ移動する駆動源と、
リミットスイッチと、
前記フィルムが停止位置に移動すると前記リミットスイッチを押圧する押圧部とを備え、
前記リミットスイッチが押圧されると前記駆動源を停止し、前記駆動源が停止された後に前記駆動源で前記フィルムを反対方向へ移動させて前記リミットスイッチから前記押圧部を離間させる
ことを特徴とするフィルム開閉装置。
【請求項２】
前記フィルムを反対方向へ移動させる前記駆動源の駆動は、前記押圧部が前記リミットスイッチから離間したときに停止する
ことを特徴とする請求項１に記載のフィルム開閉装置。
【請求項３】
前記リミットスイッチが押圧されると前記フィルムを反対方向へ駆動させ始める
ことを特徴とする請求項１または２に記載のフィルム開閉装置。
【発明の詳細な説明】
【技術分野】
【０００１】
この発明は、フィルム開閉装置に関する。
【背景技術】
【０００２】
従来のフィルム開閉装置としては、例えば、ビニールハウスの側面、妻面、屋根面に設けられた開口部をフィルムで開閉することで、ビニールハウス内の換気をしてビニールハウス内の温度調整を行う換気装置がある。
【０００３】
詳細には、フィルム開閉装置は、フィルムが巻き付けられた軸部と、当該軸部を回転駆動可能なモータを有する駆動装置と、ビニールハウスに沿うように起立するとともに駆動装置が軸方向に移動自在に取り付けられるガイド支柱とを備える。そして、駆動装置は、ガイド支柱を挟み込むように設けられた駆動輪と従動輪を有しており、モータを駆動すると、軸部を回転駆動させるとともに駆動輪が駆動して駆動装置がガイド支柱に沿って移動する。これにより、フィルム開閉装置は、モータを駆動することで、フィルムを軸部で巻取ったり又は軸部とともに送り出したりして、開口部を開閉でき、ビニールハウス内を換気できるようになっている（例えば、特許文献１参照）。
【０００４】
また、従来のフィルム開閉装置では、押されるとモータの駆動を停止させるリミットスイッチが駆動装置に設けられるとともに、ガイド支柱にリミットスイッチと対向するストッパを設けており、フィルムが所定量巻取り又は送り出されたときにリミットスイッチがストッパに押されてモータを停止させ、駆動装置を自動的に停止させる。
【先行技術文献】
【特許文献】
【０００５】
【特許文献１】特開平１０−２７１９１７号公報
【発明の概要】
【発明が解決しようとする課題】
【０００６】
従来のフィルム開閉装置にあっては、リミットスイッチがストッパに押されると直ちにモータを停止させるので、ビニールハウスの開口部を長期間閉じた状態あるいは開いた状態にしておくと、リミットスイッチがストッパに押された状態で長期間屋外に放置される。すると、稀にリミットスイッチが押圧された状態で固着してしまい、駆動装置が動かなくなってしまう場合があった。
【０００７】
そこで、本発明では、ビニールハウスの開口部を長期間閉じた状態あるいは開いた状態にしていたとしてもリミットスイッチの押圧された状態での固着を防止するフィルム開閉装置の提供を目的とする。
【課題を解決するための手段】
【０００８】
前記課題を解決するための手段は、ビニールハウスに設けられた開口部を開閉可能なフィルムを開閉方向へ移動する駆動源と、リミットスイッチと、前記フィルムが停止位置に移動すると前記リミットスイッチを押圧する押圧部とを備え、前記リミットスイッチが押圧されると前記駆動源を停止し、前記駆動源が停止された後に前記駆動源で前記フィルムを反対方向へ移動させて前記リミットスイッチから前記押圧部を離間させることを特徴とする。
【０００９】
また、前記フィルムを反対方向へ移動させる前記駆動源の駆動は、前記押圧部が前記リミットスイッチから離間したときに停止するようにしてもよい。この構成によると、フィルムを反対方向へ移動させる駆動源の駆動が最小限になるため、フィルムが反対方向に移動したことによって換気に与える影響を最小限にできる。
【００１０】
また、前記リミットスイッチが押圧されると前記フィルムを反対方向へ駆動させ始めるにしてもよい。この構成によると、開口部の開閉の完了までに要する時間を短縮できる。
【発明の効果】
【００１１】
本発明のフィルム開閉装置によれば、ビニールハウスの開口部を長期間閉じた状態あるいは開いた状態にしていたとしてもリミットスイッチの固着を防止できる。
【図面の簡単な説明】
【００１２】
【図１】本実施の形態に係るフィルム開閉装置のビニールハウスへの使用状態の一例を示す図である。
【図２】本実施の形態に係るフィルム開閉装置の開側リミットスイッチと開側押圧部の一例を示す図であって、（ａ）から（ｃ）は、開側押圧部の動作の過程を示す。
【図３】本実施の形態に係るフィルム開閉装置の閉側リミットスイッチと閉側押圧部の一例を示す図であって、（ａ）から（ｃ）は、閉側押圧部の動作の過程を示す。
【図４】本実施の形態に係るフィルム開閉装置における駆動機の電気回路の一例を示す図である。
【発明を実施するための形態】
【００１３】
以下に、図面を参照しながら本実施の形態について説明する。いくつかの図面を通して付された同じ符号は同じ部品を示す。
【００１４】
本実施の形態に係るフィルム開閉装置１は、ビニールハウスＨに設けられた開口部Ｏを開閉可能なフィルム２を開閉方向へ移動する駆動源としてのモータＭと、リミットスイッチ７，８と、フィルム２が停止位置に移動するとリミットスイッチ７，８を押圧する押圧部９，１０と、モータＭの回転方向や回転時間を制御する制御装置Ｃとを備える。そして、リミットスイッチ７，８は、押圧されるとモータＭを停止し、制御装置Ｃは、モータＭが停止された後にモータＭでフィルム２を反対方向へ移動させてリミットスイッチ７，８から押圧部９，１０を離間させるようにモータＭを制御する。
【００１５】
さらに、フィルム開閉装置１は、図１に示すように、ビニールハウスＨに吊設されるフィルム２が巻きつけられる軸部３と、軸部３の一端に連結され軸部３を回転駆動可能なモータＭを有する駆動装置４と、ビニールハウスＨに沿って起立するとともに駆動装置４が軸方向に沿って移動可能に取り付けられたガイド軸５とを備える。また、図示しないが、駆動装置４は、ガイド軸５を挟持する駆動輪と従動輪を有しており、駆動輪はモータＭの駆動に連動して回転して、駆動装置４をガイド軸５に沿って移動させることができる。
【００１６】
そして、モータＭを開方向に回転させると、軸部３がフィルム２を巻取りながら上側に移動して開口部Ｏを開き、モータＭを閉方向に回転させると、軸部３がフィルム２を送り出しながら下側に移動して開口部Ｏを閉じる。
【００１７】
以下、詳細に説明すると、ビニールハウスＨは、複数のアーチ状パイプ（図示せず）を並べて構成される骨組（図示せず）と、この骨組に展張されるビニールシートＳとを備えて略蒲鉾型に形成される。
【００１８】
そして、このビニールハウスＨの側面には、長手方向に沿って開口部Ｏが形成されており、本実施の形態に係るフィルム開閉装置１は、前述のように、フィルム２を巻取り又は送り出しして開口部Ｏを開閉する。なお、開口部Ｏには図示しないネットが展張されており、通気性を確保しつつ、害虫や害鳥が温室内に侵入することを防止している。
【００１９】
また、本実施の形態に係るフィルム開閉装置１におけるフィルム２は、雨や風のビニールハウスＨ内への侵入を阻止することが可能なビニールシート等とされている。ビニールハウスＨにおける開口部Ｏの図１中上側には、長手方向に沿ってシート定着フレーム６が設けられている。
【００２０】
そして、フィルム２は、シート定着フレーム６を介して図１中上端がビニールハウスＨに固定され、自由端となる下端に、長手方向に沿って軸部３が取り付けられている。
【００２１】
さらに、フィルム２の幅と長さの寸法は、開口部Ｏを塞ぐのに充分な寸法とされており、フィルム２は、軸部３に巻取られていくと開口部Ｏを徐々に開き、軸部３から送り出されると開口部Ｏを徐々に閉じる。
【００２２】
軸部３は、本実施の形態において、中空のパイプからなり、フィルム２の長手方向長さ（図１中左右幅）よりも長く設定されているとともに、軸部３の駆動装置４側の一端（図１中左端）がビニールハウスＨの妻面よりビニールハウスの長手方向へはみ出すように配置されている。
【００２３】
また、ガイド軸５は、本実施の形態において、中空のパイプからなり、軸部３の端部に交差して地面上に起立している。
【００２４】
なお、本例では、軸部３がフィルム２の下端に取り付けられているが、軸部３をフィルム２の上端に取り付けて、軸部３を回転させてフィルム２の巻取り及び送り出しをするようにしてもよい。
【００２５】
つづいて、フィルム開閉装置１について詳細に説明する。フィルム開閉装置１の駆動装置４は、前述したように制御装置ＣによってモータＭの回転方向や回転時間が制御されており、制御装置Ｃが駆動装置４を駆動してフィルム２を任意の位置まで巻取り又は送り出しして、開口部Ｏの開口量を調整できる。
【００２６】
なお、本実施の形態に係る制御装置Ｃは、ビニールハウスＨ内に設置され、図示しないコードを介して駆動装置４に接続されている。ただし、制御装置Ｃの設置場所は、ビニールハウスＨ内に限られず、ビニールハウスＨ外に設置されてもよい。
【００２７】
戻って、駆動装置４は、押圧されるとモータＭの開方向（巻取り方向）の駆動を停止する開側リミットスイッチ７と、押圧されるとモータＭの閉方向（送り出し方向）の駆動を停止する閉側リミットスイッチ８と、フィルム２が停止位置である上限位置まで巻取られると開側リミットスイッチ７を押圧する開側押圧部９と、フィルム２が停止位置である下限位置まで送り出されると閉側リミットスイッチ８を押圧する閉側押圧部１０とを備える。
【００２８】
具体的には、本実施の形態に係る開側押圧部９は、それぞれ図２（ａ）に示すように、モータＭに減速機（図示せず）を介して接続されモータＭの駆動に連動して回転する回転体１１Ａと、回転体１１Ａの外周から径方向に突出する突起１２Ａとを有する。
【００２９】
開側リミットスイッチ７は、開側押圧部９に並べて配置されており、内部にスイッチ回路を構成する電子部品が収容されたケース１３Ａと、ケース１３Ａの開側押圧部９側の面から回転体１１Ａ側に向けて傾斜して延び弾性を有するレバー１４Ａと、レバー１４Ａの正面側先端に設けられ開側押圧部９側に向けて膨らむ当接部１５Ａと、ケース１３Ａからレバー１４Ａの背面側に向けて突出するボタン１６Ａとを備える。
【００３０】
この際、開側押圧部９は、モータＭの駆動によりフィルム２が上限側の停止位置まで移動したときに、回転体１１Ａが回転して突起１２Ａが丁度開側リミットスイッチ７のボタン１６Ａを押す位置にくるように設定されている。
【００３１】
つまり、フィルム２が上限側の停止位置に近づくにつれて回転体１１Ａが図２中右回転をして突起１２Ａが開側リミットスイッチ７に近接して行き、フィルム２が上限側の停止位置まで移動すると、図２（ｂ）に示すように、突起１２Ａが開側リミットスイッチ７の当接部１５Ａに当接しレバー１４Ａを押圧して、ボタン１６Ａが押されるため、モータＭの駆動が停止する。
【００３２】
他方、閉側押圧部１０と閉側リミットスイッチ８は、図３（ａ）に示すように、開側押圧部９と開側リミットスイッチ７を左右反転するように配置されて、上述した開側押圧部９と開側リミットスイッチ７と同様の構成を備えている。
【００３３】
そして、モータＭの駆動によりフィルム２が下限側の停止位置に近づくにつれて回転体１１Ｂが図３中左回転をして突起１２Ｂが閉側リミットスイッチ８に近接して行き、フィルム２が下限側の停止位置まで移動すると、図３（ｂ）に示すように、突起１２Ｂが閉側リミットスイッチ８の当接部１５Ｂに当接しレバー１４Ｂを押圧して、ケース１３Ｂから突出するボタン１６Ｂが押されるため、モータＭの駆動が停止する。
【００３４】
また、詳しくは後述するが、リミットスイッチ７，８は、駆動装置４の電気回路２０に組み込まれている。この電気回路２０は、開側リミットスイッチ７が押圧されるとモータＭを開側に駆動させる回路との通電が遮断されて、モータＭの駆動が停止する。反対に、閉側リミットスイッチ８が押圧されるとモータＭを閉側に駆動させる回路との通電が遮断されて、モータＭの駆動が停止する。さらに、この電気回路２０は、開側リミットスイッチ７が押圧されてもモータＭを閉側に駆動させる回路は遮断されず、反対に閉側リミットスイッチ８が押圧されてもモータＭを開側に駆動させる回路は遮断されないようになっている。
【００３５】
なお、本実施の形態に係るリミットスイッチ７，８と押圧部９，１０の構成は、一例であって、上記構成には限定されない。例えば、開側リミットスイッチ７と閉側リミットスイッチ８を回転体の軸方向又は径方向に沿うように直列に配置して、モータＭが開方向に駆動すると回転体が一方方向に回転して突部で開側リミットスイッチ７を押圧し、モータＭが閉方向に駆動すると回転体が他方方向に回転して突部で閉側リミットスイッチ８を押圧するようにしてもよい。このようにすると、一つの押圧部で開側リミットスイッチ７と閉側リミットスイッチ８を押圧できるため、部品点数を削減できる。
【００３６】
あるいは、ガイド軸５の軸方向上下にガイド軸５から径方向に張り出すストッパを設け、駆動装置４に上記ストッパに対向し押されるとモータＭの駆動が停止するリミットスイッチを設けるようにしてもよい。
【００３７】
つづいて、本実施の形態に係るフィルム開閉装置１によって開口部Ｏを開閉操作する際における制御装置Ｃによる駆動装置４の制御について説明する。
【００３８】
まず、開口部Ｏを閉鎖させる場合には、制御装置Ｃは、フィルム２が上限側の停止位置にあっても下限側の停止位置まで移動可能な時間以上に設定された所定時間、モータＭを閉方向に駆動させる。このようにすると、フィルム２がどの位置にあっても確実に下限側の停止位置まで移動させられるため、図３（ｂ）に示すように、閉側押圧部１０によって閉側リミットスイッチ８が押圧され、モータＭの駆動が停止するので、開口部Ｏが確実に閉鎖される。
【００３９】
また、上記所定時間は、フィルム２を上限側の停止位置から下限側の停止位置まで移動可能な時間ｔに、任意に設定される追加時間ａを足した時間であるから、追加時間ａの分だけモータＭを駆動させる時間に余裕があるため、仮にフィルム２の巻損じ、フィルム２の熱膨張や収縮があったとしても開口部Ｏを確実に閉鎖できる。
【００４０】
ただし、上記所定時間は、少なくともフィルム２を上限側の停止位置から下限側の停止位置まで移動可能な時間ｔに設定されていれば開口部Ｏを閉鎖するには足りる。
【００４１】
さらに、制御装置Ｃは、所定時間の経過後に、少なくとも閉側押圧部１０が閉側リミットスイッチ８から離間するまでの時間、モータＭを開方向に駆動させて停止させる。このようにすると、図３（ｃ）に示すように、回転体１１Ｂが図中右回転し、閉側押圧部１０の突起１２Ｂと閉側リミットスイッチ８が離間するため、閉側押圧部１０と閉側リミットスイッチ８を離間させた状態で、開口部Ｏが閉鎖される。
【００４２】
このとき、モータＭは、換気に影響を与えない程度にしか開方向に駆動していないため、換気にはほとんど影響を与えない。また、例えば、フィルム２の下限側の停止位置を開口部Ｏの下端よりも少し下側になるように設定しておけば、上記のように、開口部Ｏを閉鎖した後に、モータＭを開方向に少し駆動しても、開口部Ｏの閉鎖状態を維持でき、換気に与える影響をなしにできる。
【００４３】
他方、開口部Ｏを全開させる場合には、制御装置Ｃは、フィルム２が下限側の停止位置にあっても上限側の停止位置まで移動可能な時間以上に設定された所定時間、モータＭを開方向に駆動させる。このようにすると、フィルム２がどの位置にあっても確実に上限側の停止位置まで移動させられるため、図２（ｂ）に示すように、開側押圧部９によって開側リミットスイッチ７が押圧され、モータＭの駆動が停止するので、開口部Ｏが確実に全開状態になる。
【００４４】
また、上記所定時間は、フィルム２を下限側の停止位置から上限側の停止位置まで移動可能な時間ｔに、任意に設定される追加時間ａを足した時間であるから、追加時間ａの分だけモータＭを駆動させる時間に余裕があるため、仮にフィルム２の巻損じ、フィルム２の熱膨張や収縮があったとしても開口部Ｏを確実に全開状態にできる。
【００４５】
ただし、上記所定時間は、少なくともフィルム２を下限側の停止位置から上限側の停止位置まで移動可能な時間ｔに設定されていれば開口部Ｏを全開状態にするには足りる。
【００４６】
さらに、制御装置Ｃは、所定時間の経過後に、少なくとも開側押圧部９が開側リミットスイッチ７から離間するまでの時間、モータＭを閉方向に駆動させて停止させる。このようにすると、図２（ｃ）に示すように、回転体１１Ａが図中左回転し、開側押圧部９の突起１２Ａと開側リミットスイッチ７が離間するため、開側押圧部９と開側リミットスイッチ７を離間させた状態で、開口部Ｏが開かれた状態になる。
【００４７】
ここで、本実施の形態に係るフィルム開閉装置１における駆動装置４の電気回路２０を図４の記載に基づいて説明する。この電気回路２０は、図４に示すように、制御装置Ｃに設けられた電源（図示せず）とモータＭを接続するループ状のループライン２１を備えている。ループライン２１は、モータＭの図中左側に接続される開側ライン２１ａと、モータＭの図中右側に接続される閉側ライン２１ｂを有している。モータＭは、直流モータであって、本例では、電源の＋側をモータＭの端子ｘに接続し、電源の−側をモータＭの端子ｙに接続するとモータＭは正回転して軸部３がフィルム２を巻取って開口部Ｏを開き、電源の＋側をモータＭの端子ｙに接続し、電源の−側をモータＭの端子ｘに接続するとモータＭは逆回転して軸部３がフィルム２を送り出して開口部Ｏを閉じる。
【００４８】
そして、図示しない電源は、電源の極性を切換可能な回路（例えば、ブリッジ回路など）を介して、ループライン２１に接続されており、電源の極性を切り換えることで、モータＭの駆動方向を切り換えできるようになっている。
【００４９】
また、ループライン２１の電源側とモータＭの間には、電源側から端子ｘに向けて流れる電流の流れのみを許容する開側整流器２２と、電源側から端子ｙに向けて流れる電流の流れのみを許容する閉側整流器２３が直列に並べて設けられている。
【００５０】
さらに、ループライン２１の電源側と開側整流器２２の間とモータＭと閉側整流器２３の間は、バイパスライン２４により接続されている。そして、バイパスライン２４には、開側整流器２２に対して並列に設けられる常閉形の閉側リミットスイッチ８と、閉側整流器２３に対して並列に設けられる常閉形の開側リミットスイッチ７が直列に並べて設けられている。加えて、バイパスライン２４の閉側リミットスイッチ８と開側リミットスイッチ７の間と、ループライン２１の開側整流器２２と閉側整流器２３の間は、中間ライン２５によって接続されている。
【００５１】
また、コンデンサ２６と抵抗器２７を直列に接続したスナバ回路ＳＣが、開側リミットスイッチ７と閉側リミットスイッチ８に対して平行に設けられており、リミットスイッチ７，８を切り換えたときに生じるサージ電圧を吸収し電気回路２０を保護するようになっている。
【００５２】
この電気回路２０によると、モータＭを閉方向に駆動する場合には、電源の＋側を閉側ライン２１ｂに接続して、電源の−側を開側ライン２１ａに接続する。すると、電流は、モータＭ、閉側整流器２３、中間ライン２５、閉側リミットスイッチ８へ向けて流れるので、モータＭは逆回転して開口部Ｏは閉じられる。
【００５３】
そして、フィルム２が軸部３によって送り出されて下限側の停止位置まで移動すると、閉側押圧部１０によって押圧されて閉側リミットスイッチ８が押圧された状態となり、中間ライン２５から開側ライン２１ａに向けて流れる回路が遮断される。そのため、モータＭに電流が供給されなくなって、モータＭの駆動が停止する。
【００５４】
この際、電流が、開側ライン２１ａ、開側整流器２２、中間ライン２５、開側リミットスイッチ７、モータＭへ向けて流れるルートは遮断されていない。そのため、モータＭの駆動を停止させた後に、閉側リミットスイッチ８から閉側押圧部１０を離間させるようにモータＭを正回転させることができる。
【００５５】
反対に、モータＭを開方向に駆動する場合には、電源の＋側を開側ライン２１ａに接続して、電源の−側を閉側ライン２１ｂに接続する。すると、電流は、開側整流器２２、中間ライン２５、開側リミットスイッチ７、モータＭへ向けて流れるので、モータＭは正回転して開口部Ｏが開かれる。
【００５６】
そして、フィルム２が軸部３によって巻取られて上限側の停止位置まで移動すると、開側押圧部９によって押圧されて開側リミットスイッチ７が押圧された状態となり、電源の＋側とモータＭのｘ端子の接続が遮断される。そのため、モータＭに電流が供給されなくなって、モータＭの駆動が停止する。
【００５７】
この際、電流が、閉側ライン２１ｂ、モータＭ、閉側整流器２３、中間ライン２５、閉側リミットスイッチ８へ向けて流れるルートは遮断されていない。そのため、モータＭの駆動を停止させた後に、開側リミットスイッチ７から開側押圧部９を離間させるようにモータＭを逆回転させることができる。
【００５８】
なお、図２に示すフィルム開閉装置１における駆動装置４の電気回路２０は、一例であって、上記回路には特に限定されない。本例では、リミットスイッチ７，８が押圧されるとモータＭへの通電が遮断されて、モータＭの駆動が停止するようにされているため、リミットスイッチ７，８が電気回路２０内に組み込まれているが、リミットスイッチ７，８が押圧されるとリミットスイッチ７，８が押されたことによる信号を受信し、制御装置Ｃが電流の供給を停止してモータＭの駆動を停止する制御をすれば、電気回路２０内にリミットスイッチ７，８を組み込まなくてもよい。この場合には、リミットスイッチ７，８は常閉形と常開形のどちらのものであってもよい。
【００５９】
前述したように、本実施の形態に係るフィルム開閉装置１は、開口部Ｏを開閉可能なフィルム２を開閉方向へ移動する駆動源としてのモータＭとリミットスイッチ７，８と、フィルム２が停止位置に移動するとリミットスイッチ７，８を押圧する押圧部９，１０とを備え、リミットスイッチ７，８が押圧されるとモータＭを停止し、モータＭが停止された後にモータＭでフィルムを反対方向へ移動させてリミットスイッチ７，８から押圧部９，１０を離間させている。
【００６０】
この構成によると、押圧部９，１０とリミットスイッチ７，８が常に離間した状態になるため、フィルム開閉装置１が長期間使用されなかったとしても、リミットスイッチ７，８が固着しない。また、本発明は、リミットスイッチ７，８が押圧されてモータＭが停止した後にモータＭを反対方向に駆動させる制御をするだけでよく、従来のフィルム開閉装置から構造を変更する必要がないため、従来のフィルム開閉装置をそのまま利用できコストがほとんどかからない。
【００６１】
なお、本実施の形態においては、フィルム２を上限側の停止位置まで移動させる場合と、下限側の停止位置まで移動させる場合の両方の場合において、リミットスイッチ７，８から押圧部９，１０が離間するようにしているが、どちらか一方の場合だけであってもよい。ただし、気温の低い冬場や、ビニールハウスＨ内で作物を育てていない場合など、ビニールハウスＨの開口部Ｏを長期間閉じたままにする場合が多いので、閉側リミットスイッチ８は固着しやすい。そのため、フィルム２を下限側の停止位置まで移動させる場合に、リミットスイッチ８から押圧部１０が離間するようにしておくと特に効果的である。
【００６２】
また、フィルム２を反対方向へ移動させるモータＭの駆動が、押圧部９，１０がリミットスイッチ７，８から離間したときに停止するようにしてもよい。この構成によると、フィルム２を反対方向へ移動させるモータＭの駆動が最小限になるため、フィルム２が反対方向に移動したことによる換気に与える影響を最小限にできる。ただし、換気に影響がない程度であれば、押圧部９，１０がリミットスイッチ７，８から離間してすぐにモータＭの駆動を停止させるようにしなくてもよい。
【００６３】
また、本実施の形態においては、フィルム２がどの位置にあっても必ず停止位置まで移動できる時間以上に設定された所定時間モータＭを駆動させ、所定時間経過後にモータＭを反対方向に駆動させることで、フィルム２を停止位置から反対方向に移動させているが、リミットスイッチ７，８が押圧されるとフィルム２を反対方向へ駆動させ始めるようにしてもよい。
【００６４】
この構成によると、所定時間経過後にモータＭを反対方向に駆動させる場合に比べて、所定時間の経過を待つことなく、リミットスイッチ７，８が押されてすぐにフィルム２を反対方向へ移動させられるため、開口部Ｏの開閉の完了までに要する時間を短縮できる。
【００６５】
具体的には、リミットスイッチ７，８が押圧されるとリミットスイッチ７，８が押されたことによる信号を受信し、制御装置Ｃが電流の供給を停止してモータＭの駆動を停止させるとともにフィルム２を反対方向へ駆動させる制御をする方法や、または、リミットスイッチ７，８が押圧されたことによりモータＭに流れる電流が遮断されたことをセンシングする電流センサを設け、この電流センサが電流の遮断をセンシングすると制御装置Ｃがフィルム２を反対方向へ駆動させ始める制御が考えられる。
【００６６】
また、本実施の形態においては、駆動源としてモータＭを利用しているが、フィルムを開閉方向へ移動させるものであれば、駆動源は特に限定されない。
【００６７】
また、本実施の形態では、フィルム開閉装置１は、ビニールハウスＨの側面に設けられた開口部Ｏを開閉しているが、フィルム開閉装置１は、ビニールハウスＨの妻面や屋根面に設けられた開口部を開閉するものであってもよい。
【００６８】
また、本実施の形態では、フィルム開閉装置１は、ビニールハウスＨの内外を連通する開口部を開閉するフィルムを開閉方向に移動することでビニールハウスＨ内の換気を行う換気装置に利用されているが、ビニールハウスＨの屋根面の内側に平行に設けられる複数の梁間に形成される開口部を開閉するフィルムの開閉装置に利用されてもよい。
【００６９】
以上、本発明の好ましい実施の形態を詳細に説明したが、特許請求の範囲から逸脱なく改造、変形及び変更ができるのは当然である。
【符号の説明】
【００７０】
１・・・フィルム開閉装置、２・・・フィルム、７・・・開側リミットスイッチ、８・・・閉側リミットスイッチ、９・・・開側押圧部、１０・・・閉側押圧部、Ｈ・・・ビニールハウス、Ｍ・・・モータ（駆動源）、Ｏ・・・開口部
【図１】
2020000203.tif 000003
【図２】
2020000203.tif 000004
【図３】
2020000203.tif 000005
【図４】
2020000203.tif 000006